(57)【要約】      （修正有）【課題】検体容器の向きに関係なく短時間で確実に無線タグに対するデータの読み書きが可能な収容装置、およびこの収容装置を用いた検査システムを提供する。【解決手段】収容装置１０は、識別情報を記録した無線タグを側面に備えるとともに検体を中に入れた検体容器を収容する収容ケース２と、収容ケース２に収容した検体容器の周囲を囲むアンテナ４と、を有する。【選択図】図１
2018136246.tif 000002
【特許請求の範囲】
【請求項１】
識別情報を記録した無線タグを側面に備えるとともに検体を中に入れた検体容器を収容する収容部と、
前記収容部に収容した前記検体容器の周囲を囲む筒状アンテナと、
を有する収容装置。
【請求項２】
前記筒状アンテナの外側を囲んで電磁波を遮断するシールド部材と、
前記筒状アンテナと前記シールド部材の間に配置した絶縁部材と、
をさらに有する請求項１の収容装置。
【請求項３】
前記筒状アンテナに接続して前記シールド部材の外側に配置した外部アンテナと、
前記筒状アンテナと前記外部アンテナの接続／遮断を切換えるスイッチと、
をさらに有する請求項２の収容装置。
【請求項４】
識別情報を記録した無線タグを側面に備えるとともに検体を中に入れた検体容器を収容する複数の収容部と、
前記各収容部に収容した前記検体容器の周囲を囲む複数の筒状アンテナと、
前記各筒状アンテナの外側を囲んで電磁波を遮断する複数のシールド部材と、
前記各筒状アンテナと前記各シールド部材の間に配置した複数の絶縁部材と、
前記複数の筒状アンテナに接続して対応する前記シールド部材の外側に配置した共通の外部アンテナと、
前記複数の筒状アンテナと前記外部アンテナの接続／遮断を個別に切換える複数のスイッチと、
を有する収容装置。
【請求項５】
請求項４の収容装置と、
前記複数のスイッチを切換えて検査対象となる検体を入れた検体容器を囲む筒状アンテナだけを前記外部アンテナに接続する接続手段と、
前記外部アンテナを介して当該検体容器の無線タグとの間で無線によりデータを送受信し、当該無線タグからデータを読み取りおよび／或いは当該無線タグにデータを書き込むデータ処理装置と、
を有する検査システム。
【発明の詳細な説明】
【技術分野】
【０００１】
本発明の実施形態は、例えば血液などの検体を入れた検体容器を収容する収容装置およびこの収容装置を用いた検査システムに関する。
【背景技術】
【０００２】
従来、例えば、側面にバーコードを貼り付けた採血管に患者から採取した血液（検体）を入れて、このバーコードを用いて患者と血液を紐付けして管理するようにしている。しかし、この場合、ラックに収容した複数本の採血管のバーコードを効率よく読み取るため、ラックに収容する採血管の向きを揃える必要がある。
【０００３】
これに対し、採血管にＲＦＩＤ（Radio Frequency Identification）タグなどの無線タグを取り付けて無線により識別情報を読み書きするようにした技術が知られている。このように、採血管に無線タグを取り付けることで、採血管の向きに関係なく無線タグに対するデータの読み書きが可能となる。
【先行技術文献】
【特許文献】
【０００４】
【特許文献１】特開２００５−１２５１４４号公報
【発明の概要】
【発明が解決しようとする課題】
【０００５】
しかし、上述した無線タグを用いた方法では、複数本の採血管をラックに並べて収容すると、隣接する別の採血管の無線タグを誤って読み取ってしまう可能性がある。このような不具合を防止するため、上述した従来の装置では、隣接する採血管の間に電波を遮断する隔壁を設けている。しかし、隔壁を設けると、各採血管の無線タグにデータを個別に読み書きする際に、隔壁を避けてリーダ・ライタのアンテナを各無線タグに近付ける必要があり、作業に手間がかかり検査時間が長くなってしまう。
【０００６】
よって、検体容器の向きに関係なく短時間で確実に無線タグに対するデータの読み書きが可能な収容装置、およびこの収容装置を用いた検査システムの開発が望まれている。
【課題を解決するための手段】
【０００７】
実施形態に係る収容装置は、識別情報を記録した無線タグを側面に備えるとともに検体を中に入れた検体容器を収容する収容部と、収容部に収容した検体容器の周囲を囲む筒状アンテナと、を有する。
【０００８】
また、別の実施形態に係る収容装置は、識別情報を記録した無線タグを側面に備えるとともに検体を中に入れた検体容器を収容する複数の収容部と、各収容部に収容した検体容器の周囲を囲む複数の筒状アンテナと、各筒状アンテナの外側を囲んで電磁波を遮断する複数のシールド部材と、各筒状アンテナと各シールド部材の間に配置した複数の絶縁部材と、複数の筒状アンテナに接続して対応するシールド部材の外側に配置した共通の外部アンテナと、複数の筒状アンテナと外部アンテナの接続／遮断を個別に切換える複数のスイッチと、を有する。
【０００９】
さらに、実施形態に係る検査システムは、識別情報を記録した無線タグを側面に備えるとともに検体を中に入れた検体容器を収容する複数の収容部と、各収容部に収容した検体容器の周囲を囲む複数の筒状アンテナと、各筒状アンテナの外側を囲んで電磁波を遮断する複数のシールド部材と、各筒状アンテナと各シールド部材の間に配置した複数の絶縁部材と、複数の筒状アンテナに接続して対応するシールド部材の外側に配置した共通の外部アンテナと、複数の筒状アンテナと外部アンテナの接続／遮断を個別に切換える複数のスイッチと、複数のスイッチを切換えて検査対象となる検体を入れた検体容器を囲む筒状アンテナだけを外部アンテナに接続する接続手段と、外部アンテナを介して当該検体容器の無線タグとの間で無線によりデータを送受信し、当該無線タグからデータを読み取りおよび／或いは当該無線タグにデータを書き込むデータ処理装置と、を有する。
【図面の簡単な説明】
【００１０】
【図１】図１は、第１の実施形態に係る収容装置を示す概略斜視図である。
【図２】図２は、図１の収容装置のＦ２−Ｆ２に沿った断面図である。
【図３】図３は、図１の収容装置を用いた検査システムを示す概略図である。
【図４】図４は、図３の検査システムによるデータ処理方法を説明するためのフローチャートである。
【図５】図５は、第２の実施形態に係る収容装置を示す概略斜視図である。
【図６】図６は、第３の実施形態に係る収容装置を示す概略斜視図である。
【図７】図７は、図６の収容装置を用いた検査システムを示す概略図である。
【図８】図８は、図７の検査システムによるデータ処理方法を説明するためのフローチャートである。
【発明を実施するための形態】
【００１１】
以下、図面を参照しながら実施形態について詳細に説明する。
【００１２】
（第１の実施形態）
図１は、第１の実施形態に係る収容装置１０を示す斜視図であり、内部構造が見えるように手前側の側壁２ｃを透明に図示してある。また、図２は、図１の収容装置１０をＦ２−Ｆ２に沿って見た断面図である。さらに、図３は、この収容装置１０を用いた検査システム１００を示す概略図である。
【００１３】
図１および図２に示すように、収容装置１０は、上端が開放した矩形箱状の収容ケース２（収容部）を有する。収容ケース２は、矩形の底壁２ｂ、および４枚の矩形の側壁２ｃを有する。収容ケース２は、例えば、樹脂により形成されている。収容ケース２の底壁２ｂの上には、矩形板状の衝撃吸収体３が設置されている。衝撃吸収体３は、後述する検体容器１（図３）の下端が接触する際の衝撃を吸収する。
【００１４】
図３に示すように、収容ケース２には、例えば血液などの検体を入れた検体容器１が収容される。検体は、血液に限らず、液体に限らない。検体容器１は、例えば、有底の円筒形の透明なガラス管により形成されており、検体の種類に応じて種々のサイズのものが用意されている。
【００１５】
検体容器１の側面には、ＲＦＩＤ（Radio Frequency Identification）タグＴ（以下、無線タグＴと称する）が貼り付けられている。無線タグＴは、検体の識別情報に関するデータを記録するための図示しないＩＣチップ、およびＩＣチップに対するデータの読み書きを実施するための無線信号を送受信する図示しないアンテナを有する。無線タグＴの表面には、検体の識別情報などの各種情報が印刷可能である。例えば、検体が血液である場合、検体の識別情報は、患者の氏名や検査日などを含む。
【００１６】
収容装置１０は、収容ケース２内にコイル状のアンテナ４（筒状アンテナ）を備えている。アンテナ４は、収容ケース２の上端開口２ａから挿入された検体容器１の周囲を囲む位置に配置されている。本実施形態のアンテナ４は、金属などの導体をコイル状に巻いて形成されており、収容ケース２内に挿入されて下端を衝撃吸収体３に当接させた状態の検体容器１の全周を囲むものである。
【００１７】
アンテナ４は、少なくとも無線タグＴのアンテナに重なる位置に配置されればよく、検体容器１の全長にわたって設ける必要はない。また、収容ケース２も、検体容器１をその全長にわたって収容可能な高さを有する必要はなく、検体容器１の側面１ａに貼設した無線タグＴの印刷情報を外部から視認可能な高さを有することが望ましい。
【００１８】
アンテナ４は、コイル状に限らず、検体容器１の全周を囲うものであればいかなる形状であってもよく、いわゆる筒状のものであればよい。ここで言う「筒状」とは、検体容器１の全周を囲むように周方向に連続した構造である。
【００１９】
アンテナ４は、検体容器１の側面１ａに貼設された後述する無線タグＴとの間で無線によるデータの読み書きを行うためのものである。無線タグＴは、図３に示すように、検体容器１の側面１ａに貼設されている。つまり、アンテナ４は、少なくとも検体容器１の無線タグＴに対向して重なる位置に設けられる。アンテナ４の内径は、検体容器１の外径よりわずかに大きくされている。アンテナ４の長さＬは、アンテナ４の外径Ｄおよび使用する無線タグＴの周波数によって決まる。
【００２０】
例えば、患者から採取した血液を入れる採血管は、１２ｍｍ〜１６ｍｍ程度の外径を有する。このような採血管に適したアンテナ４の外径Ｄは、１６ｍｍ〜１８ｍｍ程度である。そして、採血管に貼り付ける無線タグＴがＵＨＦ帯（日本においては９２０ＭＨｚ帯）で動作するものである場合、アンテナ４の長さＬは６５ｍｍ程度とすることが望ましい。つまり、アンテナ４は、検体容器１の周囲に近接して配置されている。
【００２１】
収容ケース２の外側には、後述するリーダ・ライタ１１２（図３）からの信号を非接触で中継するための結合器５が設けられている。結合器５は、収容ケース２の１つの側壁２ｃの外面に貼設されている。結合器５は、対応する側壁２ｃを貫通した導線によりアンテナ４と接続されている。
【００２２】
図３に示すように、検査システム１００は、上述した収容装置１０に収容された検体容器１の無線タグＴへのデータの書き込みおよび／或いは無線タグＴからのデータの読み出しを行うデータ処理装置１１０を有する。検体容器１の側面１ａに貼り付けられた無線タグＴには、検体容器１内の検体を識別するための識別情報を記録するＩＣチップが組み込まれている。
【００２３】
データ処理装置１１０は、リーダ・ライタ１１２、制御装置１１４、およびアンテナ１１６を有する。リーダ・ライタ１１２と制御装置１１４は、ＵＳＢやＬＡＮケーブル１１３を介して接続される。また、リーダ・ライタ１１２とアンテナ１１６は、同軸ケーブル１１５を介して接続される。
【００２４】
以下、図４を参照して、図３の検査システム１００によるデータ処理方法について説明する。ここでは、検体の識別情報を記録した無線タグＴを側面１ａに貼り付けた検体容器１を収容装置１０の収容ケース２内に収容したものとする。
【００２５】
データ処理装置１１０の制御装置１１４は、まず、リーダ・ライタ１１２に対して読取信号を送出するように命令を送信する（ＡＣＴ１）。リーダ・ライタ１１２は、この命令に基づいて、読取信号を送信し（ＡＣＴ２）、アンテナ１１６を介して電波としてこの読取信号を放射する（ＡＣＴ３）。
【００２６】
収容装置１０の結合器５は、この電波を受信し（ＡＣＴ４）、読取信号をアンテナ４へ伝送する。アンテナ４は、受信した読取信号に基づく電波を放射する（ＡＣＴ５）。無線タグＴは、この読取信号に関する電波を受信して応答を返す（ＡＣＴ６）。
【００２７】
アンテナ４は、読取応答信号を無線タグＴから受信し（ＡＣＴ７）、結合器５へ読取応答信号を伝送する。結合器５は、読取応答信号を電波として放射し（ＡＣＴ８）、データ処理装置１１０は、アンテナ１１６を介してこの電波を受信する（ＡＣＴ９）。
【００２８】
アンテナ１１６は、受信した読取応答信号をリーダ・ライタ１１２に伝送する（ＡＣＴ１０）。リーダ・ライタ１１２は、受信した読取応答信号を復調し、制御装置１１４へ伝送する。制御装置１１４は、受信した無線タグＴのＩＤと患者の紐づけ情報から、検査項目の判別など次のデータ処理を始める（ＡＣＴ１１）。
【００２９】
次に、アンテナ４の設計方法について説明する。  
一般に、アンテナに誘電体を近づけると、共振周波数が低周波側にシフトする。本実施形態のアンテナ４は、上述したように内側に検体容器１が挿入されるため、この影響を大きく受ける。一例として、アンテナ４の内径Ｄを１６ｍｍとし、検体容器１の外径を１５．８ｍｍとした場合、検体容器１の材質がガラスである場合に共振周波数が低周波側に約２００ＭＨｚシフトし、検体容器１の材質が樹脂材の場合に共振周波数が低周波側に約８０ＭＨｚシフトすることを確認している。
【００３０】
そのため、アンテナ４を設計する場合、検体容器１をアンテナ４内に挿入した状態で、所望の周波数でアンテナとして機能するようにアンテナ４を設計することが望ましい。言い換えると、検体容器１を収容装置１０内に挿入した状態でシフトした共振周波数が所望の周波数となるようにアンテナ４を設計することが望ましい。
【００３１】
或いは、上述のようにアンテナ４の内径と検体容器１の外径を略一致させることで、アンテナ４からの電界に加えて磁界の漏洩によって無線タグＴと結合させ、周波数に依存することなく無線タグＴを読み取ることもできる。この場合、アンテナ４に流す電流を少なくしても、無線タグＴに対するデータの読み書きが可能となる。このため、複数の収容装置１０を近接させて並べて配置しても、隣接する別の収容装置１０内の検体容器１に貼り付けた無線タグＴを間違って読み取る不具合を防止することができ、無線タグＴの読取精度を高めることができる。
【００３２】
以上説明したように、本実施形態に係る収容装置１０によると、検体容器１の全周を覆うようにコイル状のアンテナ４を設けたため、検体容器１の収容ケース２に対する挿入向きに依らず、無線タグＴを確実に読み取ることが出来る。言い換えると、アンテナ４に対する検体容器１の向きがバラバラであっても、同じ条件で無線タグＴを読み取ることができ、無線タグＴの読取精度を均一に安定させることができる。
【００３３】
これに対し、コイル状のアンテナ４を設けずに収容装置１０の一面側に固定配置したアンテナ１１６を介して検体容器１の無線タグＴを読み取る場合、検体容器１の向きに応じてアンテナ１１６との位置関係（相対角度）が変化し、読取不良を生じる可能性が考えられる。また、この場合、検体容器１の向きに応じて読取結果の信頼性にも分布を生じ、均一な安定した読取ができなくなる。
【００３４】
よって、本実施形態のように、検体容器１の全周を囲むアンテナ４を設けて、検体容器１の向きに関係なく信頼性の高い無線タグＴの読取を実現することが望ましい。
【００３５】
（第２の実施形態）
図５は、第２の実施形態に係る収容装置２０を示す斜視図であり、図１に対応する図である。ここでは、図１の構成（第１の実施形態の構成）と同様に機能する構成要素には同一符号を付してその詳細な説明を省略する。
【００３６】
収容装置２０は、この装置を互いに近接して複数台並べて使用することを想定した構成を有する。つまり、収容装置２０は、アンテナ４の外側に電磁波を遮断するためのシールド層２２（シールド部材）を有し、アンテナ４とシールド層２２の間に絶縁層２４（絶縁部材）を有する。また、収容装置２０は、アンテナ４と結合器５（外部アンテナ）の間に、両者の接続／遮断を切換えるスイッチング素子２６（スイッチ）を備えている。
【００３７】
本実施形態では、シールド層２２は、収容ケース２の内面全体を覆うように設けられている。つまり、シールド層２２は、収容ケース２の底壁２ｂの内面および４枚の側壁２ｃそれぞれの内面に設けられている。シールド層２２は、アンテナ４から放射される電波が収容装置２０の外部に漏洩することを防止するために設けられている。このため、シールド層２２は、収容ケース２の内面に限らず、収容ケース２の外面など、アンテナ４の外側を覆うように設ければよい。
【００３８】
アンテナ４は、検体容器１の側面１ａに貼り付けた無線タグＴを読取るための電波を放射する。このため、シールド層２２が無い場合、アンテナ４から放射された電波は、収容装置２０の外側にも漏洩する可能性がある。よって、シールド層２２を持たない収容装置２０を複数台互いに近接させて配置すると、隣接した異なる収容装置２０に収容した検体容器１の無線タグＴを誤って読み取ってしまう可能性がある。
【００３９】
このため、複数台の収容装置２０を近接して配置する場合、本実施形態のように、電波の漏洩を抑えるためシールド層２２をアンテナ４の外側に設けることが望ましい。シールド層２２は、導電性部材からなり、金属膜のシートなどが用いられる。なお、本実施形態では、シールド層２２を用いたが、同様の役割を担う電波吸収体などをシールド層２２の代わりに使用しても良い。
【００４０】
本実施形態では、絶縁層２４は、シールド層２２の内面全体をカバーするようにシールド層２２の内面に重ねて設けられている。アンテナ４およびシールド層２２は導電部材で形成されているため、両者が接触するとアンテナ４が正常に機能しなくなってしまう。このため、シールド層２２の内面に絶縁層２４を重ねて設けている。絶縁層２４は、シールド層２２とアンテナ４との間に設ければよく、必ずしもシールド層２２の内面に設ける必要はない。
【００４１】
スイッチング素子２６は、例えば、リードスイッチであり、磁界によりアンテナ４と結合器５との間の信号の伝達・非伝達を切り替える。磁界の印加方法としては、ここでは図示しない磁石をスイッチング素子２６に近づける方法が考えられる。このようにアンテナ４と結合器５との間にスイッチング素子２６を設けることにより、収容装置２０が複数隣接して並んでいる場合であっても、特定の収容装置２０に収容した検体容器１の無線タグＴのみを選択的に読み取ることができる。
【００４２】
以上のように、本実施形態に係る収容装置２０によると、複数台の収容装置２０を互いに近接させて並設した場合であっても、特定の収容装置２０に収容した検体容器１の無線タグＴのみを選別して読み取ることができ、データ処理の信頼性を高めることができる。
【００４３】
（第３の実施形態）
図６は、第３の実施形態に係る収容装置３０を示す斜視図であり、図７は、この収容装置３０を用いた検査システム２００を示す概略図である。収容装置３０は、概ね、第２の実施形態の収容装置２０を一列につなげた構造を有し、検査システム２００は、この収容装置３０を載置して移動する移動ステージ２０２を有する。これ以外の構成は、上述した第１の実施形態の検査システム１００および第２の実施形態の収容装置２０と略同じである。よって、ここでは、上述した第１および第２の実施形態と同様に機能する構成要素には同一符号を付してその詳細な説明を省略する。
【００４４】
図６に示すように、収容装置３０は、上述した第２の実施形態の収容装置２０を一列に並べてつなげた構造を有する。本実施形態では、スイッチング素子２６が同一面側に配置される向きで５台の収容装置２０を一列に並べてつなげた。このため、本実施形態の収容装置３０は、５本の検体容器１を収容可能なものになっている。しかし、検体容器１を収容可能な収容ケース２の数は５個に限らず、連結する収容装置２０の数を変更することで任意に変更可能である。
【００４５】
それぞれ隣接する２つの収容装置２０の間の隔壁は、一方の側壁２ｃを共有したものであり、その分、側壁２ｃの枚数が減らされている。また、各収容装置２０の別の側壁２ｃの外面に設けた複数の結合器５は１つの結合器３２（外部アンテナ）にまとめられている。さらに、各収容ケース２の底には、衝撃吸収体３が配置されており、各収容ケース２内には、アンテナ４が配置されている。また、各収容ケース２の内面には、シールド層２２が設けられ、シールド層２２の内側には、それぞれ、絶縁層２４が設けられている。
【００４６】
図７に示すように、検査システム２００は、上述した収容装置３０の他に、上述したデータ処理装置１１０および移動ステージ２０２を有する。移動ステージ２０２は、収容装置３０を載置して図示矢印Ｙ方向（複数台の収容装置２０の並び方向）に一定速度で移動させる。また、検査システム２００は、収容装置３０の１つの側壁の外表面に沿って一列に並んだ５つのスイッチング素子２６のＯＮ／ＯＦＦを切替えるための磁石３４を有する。磁石３４は、複数のスイッチング素子２６が移動する高さ位置に固定配置され、移動ステージ２０２が収容装置３０を矢印Ｙ方向に移動させることで、磁石３４が各スイッチング素子２６に個別に順次対向するようになっている。
【００４７】
磁石３４は、対向したスイッチング素子２６のみがＯＮとなるよう、スイッチング素子２６の特性に合わせて磁力、大きさ、位置などが決められている。また、矢印Ｙ方向に沿った磁界を狭いエリアに制限するため、金属板等を磁石３４の両側に設けることでスイッチングエリアを制限しても良い。しかして、磁石３４が対向したスイッチング素子２６だけがＯＮとなり、当該スイッチング素子２６を有する収容装置２０のアンテナ４だけが結合器３２と接続されることになる。
【００４８】
すなわち、収容装置３０を矢印Ｙ方向に移動させる移動ステージ２０２および磁石３４は、検査対象となる検体を入れた検体容器１を囲むアンテナ４だけを結合器３２に接続するための接続手段として機能する。
【００４９】
次に、図８を参照して、図７の検査システム２００によるデータ処理方法について説明する。ここでは、５つの収容ケース２のうち移動方向先頭から２番目の収容ケース２以外の４つの収容ケース２に検体容器１を収容したものとする。つまり、先頭から２番目の収容ケース２には検体容器１が収容されていないものとする。
【００５０】
検査システム２００は、まず移動ステージ２０２を制御して、収容装置３０を所定位置に移動する（ＡＣＴ２１）。ここでは、まず、矢印Ｙ方向に沿った先頭の収容ケース２のスイッチング素子２６が磁石３４に対向する位置に収容装置３０を移動する。
【００５１】
この状態で、データ処理装置１１０の制御装置１１４は、リーダ・ライタ１１２に対して読取信号を送出するように命令を送信する（ＡＣＴ２２）。リーダ・ライタ１１２は、この命令に基づいて、読取信号を送信し（ＡＣＴ２３）、アンテナ１１６を介して電波としてこの読取信号を放射する（ＡＣＴ２４）。
【００５２】
収容装置３０の共通の結合器３２は、この電波を受信し（ＡＣＴ２５）、読取信号をアンテナ４へ伝送する。このとき、ＡＣＴ２１において磁石３４に対向したスイッチング素子２６だけがＯＮになっており、先頭の収容ケース２内のアンテナ４だけが結合器３２に接続されているため、読取信号は先頭の収容ケース２内のアンテナ４へ伝送される。そして、このアンテナ４は、受信した読取信号に基づく電波を放射する（ＡＣＴ２６）。
【００５３】
上記のようにアンテナ４を結合器３２に結合した収容ケース２内に検体容器１が収容されている場合（ＡＣＴ２７；ＹＥＳ）、この検体容器１に添付されている無線タグＴが読取信号を受信して応答を返す（ＡＣＴ２８）。そして、当該収容ケース２のアンテナ４は、無線タグＴからの読取応答信号を受信し（ＡＣＴ２９）、この読取応答信号を結合器３２へ伝送する。
【００５４】
結合器３２は、読取応答信号を電波として放射し（ＡＣＴ３０）、データ処理装置１１０は、アンテナ１１６を介してこの電波を受信する（ＡＣＴ３１）。アンテナ１１６は、受信した読取応答信号をリーダ・ライタ１１２に伝送する（ＡＣＴ３２）。リーダ・ライタ１１２は、受信した読取応答信号を復調し、制御装置１１４へ伝送する。
【００５５】
制御装置１１４は、受信した無線タグＴのＩＤと患者の紐づけ情報から、検査項目の判別など次のデータ処理を始める（ＡＣＴ３３）。検査システム２００は、先頭の収容ケース２内の検体容器１の無線タグＴを読み取った後、移動ステージ２０２を制御して、次の収容ケース２のスイッチング素子２６を磁石３４に対向させ、ＡＣＴ２２の処理に移行する。
【００５６】
なお、ＡＣＴ２７において、磁石３４に対向した収容ケース２内に検体容器１が収容されていない場合（ＡＣＴ２７；ＮＯ）、検査システム２００は、ＡＣＴ２１に戻って、移動ステージ２０２を制御して、次の収容ケース２のスイッチング素子２６が磁石３４に対向する位置まで収容装置３０を移動させる。磁石３４に対向した収容ケース２内に検体容器１が収容されていないことの判断は、例えば、一定時間無線タグＴからの応答がないことで判断しても良いし、別途センサーを設けて判別しても良い。
【００５７】
以上説明したように、本実施形態に係る収容装置３０および検査システム２００によると、上述した第１および第２の実施形態と同様の効果を奏することができる。さらに、本実施形態によると、複数の検体容器１を並べて収容可能であるとともに、１つの検体容器１を囲むアンテナ４だけを結合器３２に接続可能であるため、隣接する収容ケース２内の別の検体容器１の無線タグＴを誤って読み取ってしまう不具合を生じることがない。よって、本実施形態によると、信頼性の高いデータ処理が可能となり、複数の検体容器１の無線タグＴを短時間で正確に読み取ることができる。
【００５８】
以上述べた少なくともひとつの実施形態の収容装置および検査システムによれば、検体を入れた検体容器１を囲む筒状のアンテナ４を用いたため、検体容器１の向きに関係なく短時間で確実に無線タグＴに対するデータの読み書きが可能となる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１…検体容器、１ａ…側面、２…収容ケース、２ａ…上端開口、２ｂ…底壁、２ｃ…側壁、３…衝撃吸収体、４…アンテナ、５、３２…結合器、１０、２０、３０…収容装置、２２…シールド層、２４…絶縁層、２６…スイッチング素子、３４…磁石、１００、２００…検査システム、１１０…データ処理装置、１１２…リーダ・ライタ、１１４…制御装置、１１６…アンテナ、２０２…移動ステージ、Ｔ…無線タグ。
【図１】
2018136246.tif 000003
【図２】
2018136246.tif 000004
【図３】
2018136246.tif 000005
【図４】
2018136246.tif 000006
【図５】
2018136246.tif 000007
【図６】
2018136246.tif 000008
【図７】
2018136246.tif 000009
【図８】
2018136246.tif 000010